(57)【要約】      （修正有）【課題】寝ていることによって惹き起こされる首のこりを解決する枕装置の提供。【解決手段】ベース体１の両サイドには、各々、溝２が形成されている。そして、この溝２内にはエンドレスタイプ（長楕円状）のベルト３が設けられている。そして、このベルト３はモータ（図示せず）の駆動力によって正逆可能に走行できるようになっている。すなわち、モータがベース体１の中央部に形成された凹部内に設けられている。そして、モータの出力軸に設けられたギア４がベルト３に形成されている歯に噛合している。従って、モータの回転によって、長楕円軌道上をベルト３が走行するようになる。枕５の上に頭（首）を載せて寝ている者は、枕が矢印方向に移動させられる。よって、頭（首）には、これを引き伸ばすような力が加わることになる。【選択図】図１
2007020846.tif 000002
【特許請求の範囲】
【請求項１】
ベース体と、
前記ベース体上に載せられてなる枕と、
前記枕を前記ベース体上で移動させる為の移動機構
とを備えてなることを特徴とする枕装置。
【請求項２】
枕が特定の方向に沿って移動できるようにする為のガイド機構を更に備えてなることを特徴とする請求項１の枕装置。
【発明の詳細な説明】
【技術分野】
【０００１】
本発明は枕装置に関する。
【背景技術】
【０００２】
病を患っている場合、病人は、ベッドや布団の上で過ごすことが多い。このような状況下においては、寝ていても、病人は、一定の姿勢のままでいることが多い。この為、首がこることも多い。
【０００３】
しかし、寝ているだけなのに、首がこるとは情けないことである。周りの者に首がこったから、揉んで下さいとは言い難いものである。
【発明の開示】
【発明が解決しようとする課題】
【０００４】
従って、本発明が解決しようとする課題は、静かに寝ていることによって惹き起こされる首のこりの問題を解決することである。
【課題を解決するための手段】
【０００５】
さて、本発明者は、自身の病によって長期間ベッドの上で過ごさざるを得ない境遇に出遭った。ところで、ベッドの上で単に寝ているに過ぎないとは言っても、体を自由に動かすことは出来なかった。このような状況下において、特に、頭（首）を自由に動かせないことから、首がこることが多かった。そして、このような場合に、首を引き伸ばすような力を頭（首）に作用させると実に気持ち良くなるものであった。
【０００６】
そして、このような時、本発明者は、頭を載せている枕を上側にずらすように移動させると、枕の移動に伴って首が引き伸ばされるようになり、実に、気持ち良くなることに気付いた。
【０００７】
このような知見に基づいて本発明が達成されたものである。
【０００８】
すなわち、前記の課題は、ベース体と、
前記ベース体上に載せられてなる枕と、
前記枕を前記ベース体上で移動させる為の移動機構
とを備えてなることを特徴とする枕装置によって解決される。
【０００９】
特に、ベース体と、
前記ベース体上に載せられてなる枕と、
前記枕を前記ベース体上で移動させる為の移動機構と、
前記枕が特定の方向に沿って移動できるようにする為のガイド機構
とを備えてなることを特徴とする枕装置によって解決される。
【発明の効果】
【００１０】
本発明は、頭（首）を載せる枕が移動させられるようになっている。
【００１１】
従って、首がこったなと感じたならば、図１中、矢印で示される如く、枕を足側から頭の上の方（図１中、左側）に向かってゆっくりと動かしたならば、首の上部には頭頂に向かった方向に、即ち、首を引き伸ばすように力が作用させられる。そして、このような力が作用させられたならば、首のコリが解消されるようになる。
【００１２】
さて、長期療養者にしてみると、寝ているだけなのに首がこった等とは非常に言い難いものである。しかしながら、このような時、枕が移動させられるようになっていると、周りの者に依頼せずとも、首のコリを自身で取ることが出来るようになり、肉体的のみならず、精神的にも、実に、楽になる。
【発明を実施するための最良の形態】
【００１３】
図１は本発明になる枕装置の一実施形態を示す概略図である。
【００１４】
同図中、１は、例えばベッドや敷布団の上に置かれる比較的硬質な素材からなる略長方形状のベース板である。
【００１５】
ベース体１の両サイドには、各々、溝２が形成されている。そして、この溝２内にはエンドレスタイプ（長楕円状）のベルト３が設けられている。そして、このベルト３はモータ（図示せず）の駆動力によって正逆可能に走行できるようになっている。すなわち、モータがベース体１の中央部に形成された凹部内に設けられている。そして、モータの出力軸に設けられたギア４がベルト３に形成されている歯に噛合している。従って、モータの回転によって、長楕円軌道上をベルト３が走行するようになる。
【００１６】
ベース体１上には枕５が配置されている。尚、枕５の下面側は比較的硬質な素材で構成されている。枕５の下面側には、上記ベース体１の両サイドに設けられた溝２内に設けられたベルト３に対応して、ラック６が設けられている。そして、ラック６に構成されている歯がベルト３の外面に構成されている歯に噛合している。従って、モータの正転によって、動作するベルト３に噛合しているラック６が矢印方向に徐々に移動するようになる。すなわち、枕５が矢印方向に徐々に移動するようになる。勿論、モータを逆転させれば、枕５は矢印方向とは逆方向に移動する。従って、所定の距離だけ枕が移動したならば、これを検出してモータが正・逆転するような制御機構を設けておけば、モータが動作している間、枕５は行ったり来たりするようになる。
【００１７】
従って、枕５の上に頭（首）を載せて寝ている者は、枕が矢印方向に移動させられる。よって、頭（首）には、これを引き伸ばすような力が加わることになる。そして、枕５が一定距離だけ動いた時には、モータの逆転により元に戻り、そして、再度、枕が矢印方向に移動させられ、頭（首）には、これを引き伸ばすような力が加わることになる。
【００１８】
この為、じっと、静かに、しかも一定の姿勢で寝ていても、時々、モータを作動させることによって、首のコリを、誰に頼むまでも無く、解消することが出来る。これは、病人にしてみると、肉体的にも、精神的にも、実に、爽快になる。
【００１９】
尚、上記ベース体１の溝２に枕５に設けたラック６が嵌め込まれたようになっているから、溝２とラック６とが枕の移動方向を規制するガイド機構の役割を奏する。
【００２０】
上記実施形態にあっては、モータの動作によって枕が動かされるようにした場合である。
【００２１】
しかしながら、モータのような動力源を用いなくても実施することが出来る。すなわち、手が使える場合には、紐と滑車とを用いることによっても可能である。例えば、枕５に紐の一端を取り付け、又、ベース体１の一端側に滑車を取り付けておき、そして前記紐の途中を前記滑車に掛けておけば、前記紐の他端側を自身の足の側に引っ張ってやれば、枕５は上記実施形態の場合と同様に動くことになる。従って、頭（首）には、これを引き伸ばすような力が加わることになる。そして、枕の位置を元に戻すには、手で直接戻しても良いが、上記紐および滑車とは別に、もう一組の紐と滑車とを設けておけば、上記と同様にして、枕を逆方向に動かすことが出来、元に戻すことが出来る。
【図面の簡単な説明】
【００２２】
【図１】本発明になる枕装置の概略図
【符号の説明】
【００２３】
１      ベース板
２      溝
３      ベルト
４      ギア
５      枕
６      ラック
代  理  人  宇      高      克      己
【図１】
2007020846.tif 000003